【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
透過型の液晶パネルを背面側から照明するバックライト装置において、
照明光を照射する複数の発光素子が実装された複数の光源基板と、
上記光源基板が一方の面に複数取り付けられ、上記光源基板に実装された上記発光素子に対応する位置にそれぞれ形成された開口部から上記発光素子を他方の面に露出させ、上記発光素子から照射された照明光を他方の面で反射する反射シートと、
上記反射シートの他方の面側に上記反射シートと所定の対向間隔を介して対向され、上記反射シートから入射された上記照明光を層内において拡散する拡散導光プレートと、
上記拡散導光プレートに組み合わされ、複数の光学機能シートを積層してなり、上記透過型の液晶パネルに上記照明光を導光する光学機能シート積層体と
を備えるバックライト装置。
【請求項２】
請求項１に記載のバックライト装置であって、
上記光源基板は、ガラスエポキシ基板である
バックライト装置。
【請求項３】
請求項１に記載のバックライト装置であって、
上記光源基板は、一方の面に配線用のパターンが形成され、他方の面に放熱用のパターンが形成され、
上記配線用のパターンは、他方の面のランドとスルーホールを介して接続されている
バックライト装置。
【請求項４】
請求項３に記載のバックライト装置であって、
上記光源基板は、一方の面に、コネクタ又はハーネスが実装されている
バックライト装置。
【請求項５】
請求項１に記載のバックライト装置であって、
上記光源基板の一方の面側に配設された冷却手段を更に具備する
バックライト装置。
【請求項６】
透過型の液晶パネルに照明光を供給するバックライト装置であって、
前記照明光を照射する複数の発光素子が実装された複数の光源基板と、
前記各光源基板が設けられる第１の面と、前記第１の面に対向し、前記各発光素子から照射された照明光を反射する第２の面と、前記第１の面と第２の面とを連通し、前記各発光素子を前記第２の面から露出させるように前記各発光素子に対応してそれぞれ形成された複数の開口部とを有する反射シートと、
前記反射シートの第２の面と所定の間隔を介して直接的に対向して設けられ、前記各発光素子から照射された前記照明光及び前記反射シートの第２の面から入射された前記照明光を内部で拡散する拡散導光プレートと、
前記拡散導光プレートに組み合わされ、複数の光学機能シートを積層してなり、前記液晶パネルに前記照明光を導光する光学機能シート積層体と
を具備するバックライト装置。
【請求項７】
透過型の液晶パネルと、
上記透過型の液晶パネルを背面側から照明するバックライト装置を備え、
上記バックライト装置は、照明光を照射する複数の発光素子が実装された複数の光源基板と、上記光源基板が一方の面に複数取り付けられ、上記光源基板に実装された上記発光素子に対応する位置にそれぞれ形成された開口部から上記発光素子を他方の面に露出させ、上記発光素子から照射された照明光を他方の面で反射する反射シートと、上記反射シートの他方の面側に上記反射シートと所定の対向間隔を介して対向され、上記反射シートから入射された上記照明光を層内において拡散する拡散導光プレートと、上記拡散導光プレートに組み合わされ、複数の光学機能シートを積層してなり、上記透過型の液晶パネルに上記照明光を導光する光学機能シート積層体とを備える
液晶表示装置。
【請求項８】
請求項７に記載の液晶表示装置であって、
上記光源基板は、ガラスエポキシ基板である
液晶表示装置。
【請求項９】
請求項７に記載の液晶表示装置であって、
上記光源基板は、一方の面に配線用のパターンが形成され、他方の面に放熱用のパターンが形成され、
上記配線用のパターンは、他方の面のランドとスルーホールを介して接続されている
液晶表示装置。
【請求項１０】
請求項９に記載の液晶表示装置であって、
上記光源基板は、一方の面に、コネクタ又はハーネスが実装されている
液晶表示装置。
【請求項１１】
請求項７に記載の液晶表示装置であって、
上記光源基板の一方の面側に配設された冷却手段を更に具備する
液晶表示装置。
【請求項１２】
透過型の液晶パネルと、
前記液晶パネルに前記照明光を供給するバックライト装置とを備え、
前記バックライト装置は、
前記照明光を照射する複数の発光素子が実装された複数の光源基板と、
前記各光源基板が設けられる第１の面と、前記第１の面に対向し、前記各発光素子から照射された照明光を反射する第２の面と、前記第１の面と第２の面とを連通し前記各発光素子を前記第２の面から露出させるように前記各発光素子に対応してそれぞれ形成された複数の開口部とを有する反射シートと、
前記反射シートの第２の面と所定の間隔を介して直接的に対向して設けられ、前記各発光素子から照射された前記照明光及び前記反射シートから入射された前記照明光を内部で拡散する拡散導光プレートと、
前記拡散導光プレートに組み合わされ、複数の光学機能シートを積層してなり、前記液晶パネルに前記照明光を導光する光学機能シート積層体とを有する
液晶表示装置。
【請求項１３】
透過型の液晶パネルと、
前記液晶パネルに供給するための照明光を照射する複数の発光素子が実装された複数の光源基板と、前記各光源基板が設けられる第１の面と、前記第１の面に対向し、前記各発光素子から照射された照明光を反射する第２の面と、前記第１の面と第２の面とを連通し前記各発光素子を前記第２の面から露出させるように前記各発光素子に対応してそれぞれ形成された複数の開口部とを有する反射シートと、前記反射シートの第２の面と所定の間隔を介して直接的に対向して設けられ、前記各発光素子から照射された前記照明光及び前記反射シートから入射された前記照明光を内部で拡散する拡散導光プレートと、前記拡散導光プレートに組み合わされ、複数の光学機能シートを積層してなり、前記液晶パネルに前記照明光を導光する光学機能シート積層体とを有するバックライト装置と、
前記光源基板を冷却するための冷却手段と
を具備する電子機器。
【手続補正２】
【補正対象書類名】明細書
【補正対象項目名】００７７
【補正方法】変更
【補正の内容】
【００７７】
また、上述したように、Ｙ方向において隣接する各光源基板１０は、互いに１８０度反転した状態となるように配置されるため、色度の異なる各緑色ＬＥＤ１１ｃ及び１１ｄをそれぞれＸ方向に沿って直線状に配置すると、Ｙ方向において隣接する光源基板１０間で、同一の色度を有する緑色ＬＥＤ１１ｃ同士及び１１ｄ同士（Ｇ１同士及びＧ２同士）が近接してしまい、これにより色むら及び輝度むらが生じてしまう。しかしながら、本実施形態のように緑色ＬＥＤ１１ｃ及び１１ｄをそれぞれジグザグ状に配置することで、Ｙ方向で隣接する光源基板１０間でＧ１同士及びＧ２同士の距離が近接することなく均一に配置されることとなるため、色むら及び輝度むら発生を抑えることができる。
【手続補正３】
【補正対象書類名】明細書
【補正対象項目名】００７９
【補正方法】変更
【補正の内容】
【００７９】
また、ＬＥＤユニット１９に、緑色ＬＥＤ１１ｃ及び１１ｄのみならず、赤色ＬＥＤ１１ａまたは青色ＬＥＤ１１ｂも複数実装して、その複数の赤色ＬＥＤ１１ａまたは青色ＬＥＤ１１ｂの平均色度（または平均輝度）が所定の色度（または輝度）となるようにしても構わない。
【手続補正４】
【補正対象書類名】明細書
【補正対象項目名】００８５
【補正方法】変更
【補正の内容】
【００８５】
上述の実施形態においては、各光源基板１０を、反射シート６の一方の面に取り付けており、この一方の面から各光源基板１０がそのＺ方向の厚み分及びコネクタ１７の厚み分だけ突出するような構成となっていた。しかし、例えば、反射シート６の一方の面に、各光源基板１０の形状及び厚みに適合した凹部を設けて、この凹部に各光源基板１０を埋設するようにしてもよい。また、この場合、コネクタ１７も反射シート６の一方の面から突出しないように当該一方の面に埋設してもよい。更に光学スタッド部材３４の支持体３４ｆも反射シート６の一方の面に埋設してもよい。これにより、液晶表示装置の更なる薄型化が可能となる。